(57)【要約】【課題】従来の空調システムでは、浴室内にリモコンがないため、入浴中に、浴室や脱衣室にある空調ユニットを遠隔操作する場合、わざわざ浴室からいったん出て、浴室の外にあるリモコンで操作する必要があった。【解決手段】浴室内に防水構造のリモコンを設置することにより、入浴中に、浴室の外に出ることなく、浴室や脱衣室にある空調ユニットを操作できるようになり、また浴室内のリモコンに、浴室空調ユニットの吹出し風の方向を変えたり、強さを変えたりする機能などを持たせることにより、より快適に入浴することが可能となる。【選択図】  図１
2004177101.tif 000002
【特許請求の範囲】
【請求項１】
浴室を空調する浴室空調ユニットと、前記浴室以外の部屋に設けられ、前記浴室空調ユニットを遠隔操作可能な第１のリモコンと、前記浴室空調ユニットを無線通信にて遠隔操作可能であり、前記第１のリモコンと無線通信にて双方向に通信可能な第２のリモコンと、を備えた空調システムであって、前記第２のリモコンを防水構造とし、浴室内に設置可能としたことを特徴とする空調システム。
【請求項２】
前記第２のリモコンに、前記浴室空調ユニットからの吹出し風方向を変える風向スイッチを設けたことを特徴とする請求項１記載の空調システム。
【請求項３】
前記第２のリモコンに、前記浴室空調ユニットの吹出し風強さを変える風量スイッチを設けたことを特徴とする請求項１記載の空調システム。
【請求項４】
前記第２のリモコンに前記浴室内の温度を検知する温度検知手段を備え、前記検知した温度を表示する表示部を前記第２のリモコンに設けたことを特徴とする請求項１記載の空調システム。
【請求項５】
前記第２のリモコンに、前記第１のリモコンからの操作を受け付けなくするためのロックスイッチを設けたことを特徴とする請求項１記載の空調システム。
【請求項６】
前記浴室空調ユニットが前記第２のリモコン操作による暖房運転中に、前記浴室空調ユニットが前記第１のリモコンの操作を受け付け拒否にすることを特徴とする請求項１記載の空調システム。
【請求項７】
前記第１のリモコンの操作を受け付け拒否のときに前記第１のリモコンを操作したら、受け付けられないことを使用者に報知する手段を前記第１のリモコンに設けたことを特徴とする請求項６記載の空調システム。
【請求項８】
前記第２のリモコンからの操作が不能になった状態の場合には、前記第１のリモコンの受け付け拒否を解除するように制御したことを特徴とする請求項６または７記載の空調システム。
【発明の詳細な説明】
【０００１】
【発明の属する技術分野】
本発明は、浴室を空調する空調システムに係り、特に浴室内で空調ユニットを遠隔操作するに好適な空調システムに関する。
【０００２】
【従来の技術】
従来、この種の空調システムとして、空調ユニットを遠隔操作するリモコンを複数設けたものが知られている（例えば、特許文献１参照。）。
【０００３】
【特許文献１】
特開２００２−７１１９９号（７頁、第３図）
【０００４】
【発明が解決しようとする課題】
従来の空調システムでは、浴室内にリモコンがないため、入浴中に、浴室や脱衣室にある空調ユニットを遠隔操作する場合、わざわざ浴室からいったん出て、浴室の外にあるリモコンを操作しなければならないという煩わしさがあった。
【０００５】
本発明は、上記課題を解決するためになされたもので、本発明の目的は、入浴中に、浴室の外に出ることなく、浴室や脱衣室にある空調ユニットを操作するのに好適な空調システムを提供することにある。
【０００６】
【課題を解決するための手段】
上記目的を達成するために請求項１は、浴室を空調する浴室空調ユニットと、前記浴室以外の部屋に設けられ、前記浴室空調ユニットを遠隔操作可能な第１のリモコンと、前記浴室空調ユニットを無線通信にて遠隔操作可能であり、前記第１のリモコンと無線通信にて双方向に通信可能な第２のリモコンと、を備えた空調システムであって、前記第２のリモコンを防水構造とし、浴室内に設置可能としたので、入浴中に、浴室空調ユニットを、浴室の外に出ることなく遠隔操作することができる。
【０００７】
また請求項２は、前記第２のリモコンに、前記浴室空調ユニットからの吹出し風方向を変える風向スイッチを設けたので、入浴中に、入浴者が浴室空調ユニットからの吹出し風を感じながら、浴室空調ユニットの吹出し風方向を好みの方向に、また入浴者がいる位置に適した方向に、浴室の外に出ることなく変えることができる。
【０００８】
また請求項３は、前記第２のリモコンに、前記浴室空調ユニットの吹出し風強さを変える風量スイッチを設けたので、入浴中に、入浴者が浴室空調ユニットからの吹出し風を感じながら、浴室空調ユニットの吹出し風強さを好みの強さに、浴室の外に出ることなく変えることができる。
【０００９】
また請求項４は、前記第２のリモコンに前記浴室内の温度を検知する温度検知手段を備え、前記検知した温度を表示する表示部を前記第２のリモコンに設けたので、浴室空調ユニット本体内部に温度検知手段を設けた場合よりも、より入浴者に近い位置の温度を検知することが可能となり、該温度検知手段により検知した温度情報を用いて、浴室空調ユニットの運転制御を行うことが可能である。また、検知した温度を表示することにより前記第2のリモコンを温度計代わりに使用することができる。
【００１０】
また請求項５は、前記第２のリモコンに、前記第１のリモコンからの操作を受け付けなくするためのロックスイッチを設けたので、浴室外にいる人が勝手に第１のリモコンで空調ユニットを操作して、浴室内にいる入浴者が不愉快な思いをすることがなくなる。
【００１１】
また請求項６は、前記浴室空調ユニットが前記第２のリモコン操作による暖房運転中に、前記浴室空調ユニットが前記第１のリモコンの操作を受け付け拒否にすることとしたので、例えば、浴室空調ユニットで温めている浴室に入浴者がいるときに、浴室外にいる子供が勝手に第１のリモコンを操作して、突然浴室空調ユニットから冷風が吹出し、入浴者が寒い思いをするようなことを、自動的に防ぐことができる。
【００１２】
また請求項７は、前記第１のリモコンの操作を受け付け拒否のときに前記第１のリモコンを操作したら、受け付けられないことを使用者に報知する手段を前記第１のリモコンに設けたので、前記第１のリモコンの使用者が、操作が受け付けられていないことを知ることができる。
【００１３】
また請求項８は、前記第２のリモコンからの操作が不能になった状態の場合には、前記第1のリモコンの受け付け拒否を解除するように制御したので、前記第１のリモコンによる操作が拒否されたままとなることがなく、例えば電池を交換するまで空調ユニットが操作できないということが回避できる。
【００１４】
【発明の実施の形態】
以下に、本発明の実施の形態を添付図面に基づいて説明する。なお、本発明の実施形態においては空調システムとして、浴室空調ユニットの他に脱衣室の空調を行う脱衣室空調ユニットも用いた例として以下、説明する。
【００１５】
図１に示すように、本発明の空調システムは、浴室１の屋外に面した壁１ａに取付けられた浴室空調ユニット３と、脱衣室５の壁５ａに取付けられた脱衣室空調ユニット７と、浴室空調ユニット３及び脱衣室空調ユニット７の運転を遠隔操作する第１のリモコン２と、第２のリモコン４から構成されており、第１のリモコン２または第２のリモコン４から発信する無線電波を、浴室空調ユニット３及び脱衣室空調ユニット７が受信することによって通信が行われる。
【００１６】
なお、無線電波としては特定小電力電波を用いるとよく、家屋の構造物として使用されている鉄筋やラスボード、アルミ箔などがあっても確実に通信することができる。
【００１７】
浴室空調ユニット３は、室外機３ｂが壁１ａを貫通して屋外に取付けられ、室内機３ａが浴室１内に臨むように取付けられており、室外機３ｂには後述する換気用送風手段３７及び制御部３１が内蔵され、室内機３ａには後述する循環用送風手段３５、加熱手段３９、吹出方向変更手段３２が内蔵され、浴室１内の空気を吸込むための吸込み口と、浴室１内に温風等を吹出すための吹出し口をも備える。
【００１８】
浴室空調ユニット３は、主に浴室１内の空気を、換気用送風手段３７により屋外に排気する換気運転機能、浴室１内の空気を循環用送風手段３５により吸込んで、加熱手段３９により温め浴室１内に戻す暖房運転機能、浴室１内の空気を循環用送風手段３５により吸込んで、加熱手段３９により温め浴室１内に戻すと同時に、浴室１内の湿った空気を換気用送風手段３７により屋外に排気する乾燥運転機能、浴室１内の空気を循環用送風手段３５により吸込んで、浴室１内に戻すと同時に、浴室１内の湿った空気を換気用送風手段３７により屋外に排気する涼風運転機能を有する。なお、加熱手段３９として、ヒートポンプ方式などを用いれば、冷風や除湿機能を備えることができる。
【００１９】
一方、脱衣室空調ユニット７は、脱衣室５の壁５ａに取付けられ、内部には後述する循環用送風手段７５、加熱手段７７及び制御部７１が内蔵されている。
【００２０】
脱衣室空調ユニット７は、主に脱衣室５内の空気を循環用送風手段７５により吸込んで、加熱手段７７により温め、脱衣室５内に戻す暖房運転機能、脱衣室５内の空気を循環用送風手段７５により吸込んで、脱衣室５内に戻す涼風運転機能を有する。
【００２１】
また、第１のリモコン２は、通常は脱衣室５の壁５ａに取付けられ、浴室空調ユニット３及び脱衣室空調ユニット７と無線電波により通信する。
【００２２】
図２は、第１のリモコン２の一実施形態を示す正面図である。
【００２３】
第１のリモコン２は、内部に電池収納部（図示しない）を備えており、電池により電源を供給する。そして、図２に示すように、浴室空調ユニット３の各運転を途中で停止させるための止スイッチ２２、暖房運転を開始するための暖房スイッチ２３、涼風運転を開始するための涼風スイッチ２４、換気運転を開始するための換気スイッチ２５、乾燥運転を開始するための乾燥スイッチ２６、各運転の運転時間を設定するための増減スイッチ２７、増減スイッチ２７で設定された運転時間や、浴室空調ユニット３の現在の運転状況を表示する表示部２１が備えられている。
【００２４】
また、第１のリモコン２は、前述した脱衣室空調ユニット７の各運転を途中で停止させるための止スイッチ６２、暖房運転を開始するための暖房スイッチ６３、涼風運転を開始するための涼風スイッチ６４、各運転の運転時間を設定するための増減スイッチ６５、増減スイッチ６５で設定された時間や、脱衣室空調ユニット７の現在の運転状況を表示する表示部６１が備えられている。
【００２５】
また、第１のリモコン２の内部には、スピーカー６７が内蔵されており、各運転を開始するためのスイッチを押した場合などに、音声がでるようになっている。
【００２６】
図３は第２のリモコン４の一実施形態を示す正面図である。
【００２７】
第２のリモコン４は、内部に電池収納部（図示しない）を備えており、電池により電源を供給する。そして、図３に示すように、浴室空調ユニット３の各運転を途中で停止させるための止スイッチ４１、暖房運転を開始するための暖房スイッチ４２、涼風運転を開始するための涼風スイッチ４３、吹出し口の方向を変えるための風向変更スイッチ４４、風量を変更するための風量調整スイッチ４５、浴室空調ユニット３の運転状況などを表示する表示部４８を有する。また、脱衣室空調ユニット７の各運転を停止するための止スイッチ４６、暖房運転を開始するための脱衣室暖房スイッチ４７を有する。また、第２のリモコン４自体の電源を入り切りするための電源ＯＮ／ＯＦＦスイッチ４９、緊急時などに第１のリモコン２へ連絡をとるための呼出スイッチ８３、第１のリモコン２からの操作が行えないようにするロックスイッチ８４を備える。また、内部に温度検知手段８１を備え、温度検知手段８１により検知した温度を、表示部４８に表示することができる。また、内部にスピーカー８２を備え、各運転を開始するためのスイッチを押した場合などに、音声がでるようになっている。
【００２８】
図４は、第２のリモコンの一実施形態を示す断面図である。
【００２９】
第２のリモコン４は上ケース１１と下ケース１３とから構成され、上ケース１１の表面には図３で説明したスイッチ類や表示部が描かれたシートが配設されている。また下ケース１３には図３で説明したスイッチ類（例えばタクトスイッチ）が配設されている。更に、下ケース１３の外周は溝構造となっており、溝構造の部分に防水用の弾性部材、ここでは防水用パッキン１５が配設され、上ケース１１と下ケース１３が嵌合した場合に、第２のリモコン４の外周から湿気や水滴が侵入することを防止している。
【００３０】
なお、上ケース１１と下ケース１３は、上ケース１１に設けた固定部材１７と下ケース１９に設けた固定部材１９が図示しないネジを使用して固定、嵌合される。
【００３１】
図５は、図１に示した空調システムにおける制御ブロック図である。
【００３２】
図５に示すように、浴室空調ユニット３の制御部３１は、室内機３ａに設けられた浴室１内の空気を吸込み、浴室１内に吹出すための循環用送風手段３５と、循環用送風手段３５により吸込んだ空気を加熱する加熱手段３９と、室外機３ｂに設けられた浴室１内の空気を吸込み、屋外へ排出するための換気用送風手段３７と、室内機３ａの吹出し口（図示しない）の方向を変更するための吹出方向変更手段３２が接続され、各手段３５、３７、３９、３２に制御信号を出力するように構成されている。また、制御部３１には、個々の浴室空調ユニット３毎に付された自己の固有番号を記憶している記憶部３３が備えられており、固有番号は、例えば工場出荷時にあらかじめ記憶されている。なお、記憶部３３は読み書き可能な不揮発性メモリが好適に用いられ、第１のリモコン２及び第２のリモコン４にも同じ固有番号があらかじめ記憶されている。また、加熱手段３９としては、電気式ヒータ（例えばＰＴＣヒータ）が好適に用いられる。また、吹出方向変更手段としては、ステッピングモータが好適に用いられる。
【００３３】
また、制御部３１は、第１のリモコン２または第２のリモコン４から発信される電波信号を受信するための送受信部９０と接続され、その受信内容に応じて循環用送風手段３５、換気用送風手段３７、加熱手段３９、吹出方向変更手段３２に制御信号を出力するようになっている。
【００３４】
以上の構成において、第１のリモコン２から浴室空調ユニット３の暖房運転を指令すると、暖房の運転情報と暖房運転時間の時間情報が送信されるとともに、第１のリモコン２は表示部２１にその運転情報と時間情報を表示し、送受信部９０はその信号を受信して、第１のリモコン２に対して受信した旨の応答信号を送信する。第１のリモコン２は送受信部９０からの応答信号を受信するまで、運転情報と時間情報を繰り返し送信する。そして制御部３１は、循環用送風手段３５を作動させるとともに、加熱手段３９に通電する。また、同様に送受信部９０が第１のリモコン２から乾燥運転の開始指令を受けた際には、循環用送風手段３５を作動させ、加熱手段３９に通電し、同時に換気用送風手段３７を作動させる。また、同様に送受信部９０が第１のリモコン２から換気運転の開始指令を受けた際には、換気用送風手段３７を作動させる。また、同様に送受信部９０が第１のリモコン２から涼風運転の開始指令を受けた際には、循環用送風手段３５と換気用送風手段３７を作動させる。
【００３５】
また、第２のリモコン４から浴室空調ユニット３の暖房運転を指令すると、暖房の運転情報とあらかじめ決められたある一定の時間情報が送信されるとともに、第２のリモコン４は表示部４８にその運転情報を表示し、送受信部９０はその信号を受信して、第２のリモコン４に対して受信した旨の応答信号を送信する。第２のリモコン４は送受信部９０からの応答信号を受信するまで、運転情報と時間情報を繰り返し送信する。そして制御部３１は、循環用送風手段３５を作動させるとともに、加熱手段３９に通電する。また、同様に送受信部９０が第２のリモコン４から涼風運転の開始指令を受けた際には、循環用送風手段３５と換気用送風手段３７を作動させる。
【００３６】
一方、脱衣室空調ユニット７の制御部７１は、脱衣室５内の空気を吸込み、脱衣室５内に吹出すための循環用送風手段７５と、循環用送風手段７５により吸込んだ空気を加熱する加熱手段７７と接続され、各手段７５、７７に制御信号を出力するように構成されている。また、制御部７１には、個々の脱衣室空調ユニット７毎に付された自己の固有番号を記憶している記憶部７３が備えられており、固有番号は記憶部３３と同じ固有番号が記憶されている。なお、記憶部７３は読み書き可能な不揮発性メモリが好適に用いられる。また、加熱手段７７としては、電気式ヒータ（例えばＰＴＣヒータ）が好適に用いられる。
【００３７】
また、制御部７１は、第１のリモコン２または第２のリモコン４から発信される電波信号を受信するための送受信部９５と接続され、その受信内容に応じて循環用送風手段７５、加熱手段７７に制御信号を出力するようになっている。
【００３８】
以上の構成において、第１のリモコン２から脱衣室空調ユニット７の暖房運転を指令すると、暖房の運転情報と暖房運転時間の時間情報が送信され、第１のリモコン２の表示部６１はその運転情報と時間情報を表示し、送受信部９５はその信号を受信して、第１のリモコン２に対して受信した旨の応答信号を送信する。第１のリモコン２は、応答信号を受信するまで運転情報と時間情報の送信を続ける。そして制御部７１は、循環用送風手段７５を作動させるとともに、加熱手段７７に通電する。また同様に送受信部９５が涼風運転の開始指令を受けた場合には、循環用送風手段７５を作動させる。
【００３９】
また、第２のリモコン４から脱衣室空調ユニット７の暖房運転を指令すると、暖房の運転情報とあらかじめ決められたある一定の時間情報が送信され、送受信部９５はその信号を受信して、第２のリモコン４に対して受信した旨の応答信号を送信する。第２のリモコン４は送受信部９５からの応答信号を受信するまで、運転情報と時間情報を繰り返し送信する。そして制御部７１は、循環用送風手段７５を作動させるとともに、加熱手段７７に通電する。
【００４０】
また、第２のリモコン４の風向変更スイッチ４４を操作すると、第２のリモコン４から風向変更指令が送信され、浴室空調ユニット３の送受信部９０はその信号を受信して、第２のリモコン４に対して受信した旨の応答信号を送信する。第２のリモコン４は送受信部９０からの応答信号を受信するまで、風向変更指令を繰り返し送信する。そして制御部３１は、吹出方向変更手段３２を作動させる。
【００４１】
また、第２のリモコン４の風量調整スイッチ４５を操作すると、第２のリモコン４から風量変更指令が送信され、浴室空調ユニット３の送受信部９０はその信号を受信して、第２のリモコン４に対して受信した旨の応答信号を送信する。第２のリモコン４は送受信部９０からの応答信号を受信するまで、風量変更指令を繰り返し送信する。そして制御部３１は、浴室空調ユニット３が暖房運転中は循環用送風手段３５の風量を変更する。同様に浴室空調ユニット３が換気運転中は換気用送風手段３７の、涼風または乾燥運転中は循環用送風手段３５及び換気用送風手段３７の風量を変更する。
【００４２】
また、第２のリモコン４の温度検知手段８１により検知した温度が、あらかじめ決められたある一定温度を超えた場合には、第２のリモコン４は浴室空調ユニット３に対して運転停止指令を送信するとともに、表示部４８に温度異常であることを表示し、浴室空調ユニット３の送受信部９０はその信号を受信して、第２のリモコン４に対して受信した旨の応答信号を送信する。第２のリモコン４は送受信部９０からの応答信号を受信するまで、運転停止指令を繰り返し送信する。そして、制御部３１は、浴室空調ユニット３の全ての運転を停止する。
【００４３】
また、第１のリモコン２による指令と、第２のリモコン４による指令が同時に、浴室空調ユニット３の送受信部９０、または脱衣室空調ユニット７の送受信部９５に届いた場合には、送受信部９０、または送受信部９５は、第２のリモコン４による指令を優先し、第２のリモコン４に信号を受信した旨の応答信号を送信するとともに、第１のリモコン２に信号を拒否した旨の応答信号を送信する。このとき第１のリモコン２は指令が拒否されたことを使用者に知らせるために、スピーカー６７から音声を発する。第２のリモコン４による指令があった後、ある特定時間の間（例えば１分間）第１のリモコン２からの指令を拒否するというような制御としてもよい。
【００４４】
また、第２のリモコン４のロックスイッチ８４を押すと、第２のリモコン４からロック信号が送信され、浴室空調ユニット３の送受信部９０及び脱衣室空調ユニット７の送受信部９５がこれを受信すると、それぞれが第２のリモコン４に信号を受信した旨の応答信号を送信するとともに、第１のリモコン２からの全ての信号を拒否する。このとき、第２のリモコン４のロックスイッチ８４を再度押すと、同様にして第１のリモコン２からの信号拒否は解除される。
【００４５】
また、浴室空調ユニット３が暖房運転を行っている間、浴室空調ユニット３の送受信部９０は、第１のリモコン２からの浴室空調ユニット３に関する全ての信号を拒否する。または、浴室空調ユニット３が暖房運転を行っている間、浴室空調ユニット３の送受信部９０が第１のリモコン２からの浴室空調ユニット３に関する全ての信号を拒否するように、第１のリモコン２または第２のリモコン４を操作して設定するようにしてもよい。例えば、第１のリモコン２の止スイッチ２２及び６２の両方を同時に３秒間以上押しつづけるか、第２のリモコン４の止スイッチ４１及び４６を同時に３秒間以上押しつづけることで設定できるようにする。
【００４６】
また、このように第１のリモコン２からの信号が拒否される状態のときに、第１のリモコン２を操作して、その指令が拒否された場合には、第１のリモコン２のスピーカー６７は指令が拒否されたことを示す音声を発する。
【００４７】
また、このように第１のリモコン２からの信号が拒否される状態のときに、第２のリモコン４の電源スイッチ４９をＯＦＦにした場合、または第２のリモコン４の電池が消耗してしまった場合、または第２のリモコン４の電池を抜いてしまった場合などにより第２のリモコンが使えなくなった場合には、その情報が第２のリモコン４より発信され、浴室空調ユニット３の送受信部９０はその信号を受信して、第１のリモコン２からの信号を受け付けるようになる。また、第２のリモコン４と浴室空調ユニット３の送受信部９０が定期的に双方向に送受信を行い、第２のリモコン４からの信号が発信されないことを送受信部９０が確認した場合に、自動的に第１のリモコン２からの信号を受け付けるようにすることも可能である。
【００４８】
また、第２のリモコン４の呼出スイッチ８３を押すと、第２のリモコン４から呼出指令が送信され、それを受信した第１のリモコン２はスピーカー６７から呼出がある旨の音声を発する。また、第１のリモコン２及び第２のリモコン４の両方にマイクロフォンとスピーカーを備えておけば、インターフォンとして使用することも可能である。
【００４９】
上述した内容はあくまで本発明の一実施形態に関するものであって、本発明が上記内容にのみ限定されることを意味するものではない。例えば、浴室空調ユニット３及び脱衣室空調ユニット７を使用した場合について説明したが、いずれか一方のユニットしか用いない場合についても同様に本発明の空調システムを用いることができる。また図１において、第１のリモコン２を脱衣室５の壁５ａに取付けた場合について説明したが、脱衣室５以外の部屋に設置してもよいし、第１のリモコン２を防水構造として浴室内で使用できるようにしてもよい。また、第２のリモコン４を浴室１に設置した場合について説明したが、浴室１以外の部屋で使用してもよい。この際、浴室１以外の部屋に限定して使用する場合には、第２のリモコン４は防水構造とする必要はない。また、第１のリモコン２と第２のリモコン４の他にもさらに複数のリモコンを備える空調システムとすることもできる。また、第２のリモコン４が無線電波で通信する場合について説明したが、赤外線による通信としても良い。この際、第２のリモコン４と第１のリモコン２が直接通信することができないため、浴室空調システム３の送受信部９０を経由して通信する構成とすればよい。また図３において、第２のリモコン４の構成について説明したが、更に機能を減らして小型化しても良い。
【００５０】
【発明の効果】
本発明は上記構成により、入浴中に、浴室の外に出ることなく、空調ユニットを操作するのに好適な空調システムを提供することができる。
【図面の簡単な説明】
【図１】本発明の一実施形態に係る空調システムの概略図。
【図２】第１のリモコンの一実施形態を示す正面図。
【図３】第２のリモコンの一実施形態を示す正面図。
【図４】第２のリモコンの一実施形態を示す断面図。
【図５】本発明の一実施形態を示す制御ブロック図。
【符号の説明】
１．．．浴室
１ａ．．．浴室の壁
２．．．第１のリモコン
３．．．浴室空調ユニット
３ａ．．．浴室空調ユニット室内機
３ｂ．．．浴室空調ユニット室外機
４．．．第２のリモコン
５．．．脱衣室
５ａ．．．脱衣室の壁
７．．．脱衣室空調ユニット
１５．．．防水パッキン
２１．．．表示部
２２．．．止スイッチ
２３．．．暖房スイッチ
２４．．．涼風スイッチ
２５．．．換気スイッチ
２６．．．乾燥スイッチ
２７．．．増減スイッチ
６１．．．表示部
６２．．．止スイッチ
６３．．．暖房スイッチ
６４．．．涼風スイッチ
６５．．．増減スイッチ
６７．．．スピーカー
４１．．．止スイッチ
４２．．．暖房スイッチ
４３．．．涼風スイッチ
４４．．．風向変更スイッチ
４５．．．風量調整スイッチ
４６．．．止スイッチ
４７．．．暖房スイッチ
４８．．．表示部
４９．．．電源ＯＮ／ＯＦＦスイッチ
８１．．．温度検知手段
８２．．．スピーカー
８３．．．呼出スイッチ
８４．．．ロックスイッチ
【図１】
2004177101.tif 000003
【図２】
2004177101.tif 000004
【図３】
2004177101.tif 000005
【図４】
2004177101.tif 000006
【図５】
2004177101.tif 000007